(57)【特許請求の範囲】
【請求項１】
タッピングねじがねじ込まれ、前記タッピングねじの呼び径未満の内径を有する挿入穴と、
前記挿入穴を挟んで相対向し、前記タッピングねじが挿入穴にねじ込まれた際に拡径を許容するスリットと、
前記スリットの長さ方向と直交する向きに互いに背向して突出し、スクリューグロメットをタイル穴に圧入した際に、当該タイル穴中に前記スクリューグロメットを仮に固定するとともに、前記圧入時に破損する可能性のある一対の爪と、
前記挿入穴の開口端面から内部に向かって徐々に縮径し、前記タッピングねじの前記呼び径を越える最大内径を有する導入穴とを備えるタイル壁用スクリューグロメットにおいて、
前記導入穴には、
当該導入穴の周囲の鍔状節部において、前記スリットの長さ方向の両側にそれぞれ位置するとともに、当該肉厚が前記一対の爪が位置する箇所の肉厚に比較して厚くなるように、前記導入穴の中心に向かって相対向して突出させ、前記圧入後に残存する前記一対の爪を介して前記鍔状節部が前記タイル穴の内壁により押された場合に、前記導入穴が非円形に変形するのを防止するための一対の突出壁を設け、
前記両突出壁の対向間隔を、前記タッピングねじの呼び径の直径未満に設定していることを特徴とするタイル壁用スクリューグロメット。
【発明の詳細な説明】
【０００１】
【発明の属する技術分野】
この発明は、タイル穴等の壁穴用スクリューグロメットに関し、特にスクリューグロメットを拡径させるためにねじ込まれるタッピングねじが、斜めにねじ込まれるのを防止できるようにしたものである。
【０００２】
【従来の技術】
従来のスクリューグロメットについて、図１３〜１６を用いて説明する。
図１３図は、スクリューグロメットの取付状態を示す分解断面図、図１４はスクリューグロメットの平面図、図１５はスクリューグロメットの縦断面図、図１６は図１４に対応し、スクリューグロメットをタイル穴に挿入した状態の断面図をそれぞれ示すものである。
【０００３】
従来のスクリューグロメット110は、図１３に示すように、タイル壁130のタイル穴131に圧入後、取付部品120の取付孔121に通したタッピングねじ140がねじ込まれる。
このとき、スクリューグロメット110の挿入孔150の内径が、タッピングねじ140の呼び径未満に設定されていることから、タッピングねじ140がねじ込まれるに従って、スクリューグロメット110の外径が拡径され、タイル穴131から抜けなくなる。このため、取付部品120は、スクリューグロメット110及びタッピングねじ140を介してタイル穴131に固定される。
【０００４】
上記スクリューグロメットには、図１３，１４に示すように、一対のスリット160、一対の爪170,170、導入穴151を備えている。
上記一対のスリット160は、図１４に示すように、挿入穴150を挟んで相対向し、タッピングねじ140が挿入穴150にねじ込まれた際に、スクリューグロメット110の拡径を許容するものである。
【０００５】
前記一対の爪170は、図１４に示すように、スクリューグロメット110の外周より突出し、一対のスリット160が対向する方向と直交する方向に挿入穴150を挟んで対向する。
前記導入穴151は、図１３に示すように、挿入穴150の開口端面から内部に向かって徐々に縮径し、タッピングねじ140の呼び径を越える最大内径を有する。
【０００６】
【発明が解決しようとする課題】
上記した従来のスクリューグロメット110では、タッピングねじ140が挿入穴151の軸線に対して斜めにねじ込まれるおそれがあるという問題点があった。
すなわち、導入穴151は、タッピングねじ140を挿入穴にねじ込み易くするため、その最大外径をタッピングねじ140の呼び径を越えるように設定されている。
【０００７】
このため、図１５に示すように、導入穴151に対する、タッピングねじ140の挿入時の遊び角度θ２が比較的大きくなってしまうという欠点がある。
また、スクリューグロメット110をタイル穴131に挿入した際に、爪170が取れたり、取れなかったりすることがある。
すなわち、一対の爪170は、スクリューグロメット110の仮止め用のものであり、その外周より突出している。
【０００８】
このため、スクリューグロメット110をタイル穴131に圧入した際に、爪170が引きちぎられて取れることが多い。
しかし、爪170がちぎれない場合には、タイル穴131に押されて、導入穴151に向かってたわみ込むようにして導入穴151を楕円形に変形することがある。
例えば、図１４，１６に示すように、スクリューグロメット110の導入穴151の内径ａ２，ｂ２を、４．９mmとした場合、タイル穴131への挿入前後の導入穴の内径ａ１，ｂ１の変化を、下記の表１，２に示す。
【０００９】
【表１】
0003981442.tif 000002
【００１０】
【表２】
0003981442.tif 000003
【００１１】
上記表１から明らかな通り、爪170が取れた場合には、導入穴151の内径ａ２，ｂ２の変化は比較的少ない。
これに対し、前記表２から明らかな通り、爪170が取れない場合には、導入穴151の内径ａ２，ｂ２の変化が大きい。
すなわち、爪170の有る方向の内径ａ２は、４．７mmに減少し、スリット160の有る方向の内径ｂ２は５．０mmと逆に増加し、挿入穴151が楕円形に変形していることがわかる。
【００１２】
このとき、スリット160の有る方向の内径ｂ１が５．０mmと、爪170の有る方向の内径ａ１の４．７mmに対して大きいため、タッピングねじ140は、スリット160の有る方向に斜めに進行し易くなる傾向がある。
そこで、請求項１記載の発明は、上記した従来の技術の有する問題点に鑑みてなされたものであり、その目的とするところは、次の点にある。
【００１３】
すなわち、請求項１記載の発明は、スクリューグロメットの変形し易い方向に、一対の突出壁を設けることで、スクリューグロメットが非円形にたわむのを防止できるようにしたものである。
特に、スクリューグロメットの爪が取れない場合に有効である。
これにより、タッピングねじが、スクリューグロメットの挿入穴に対して斜めにねじ込まれるのを防止することができるようにしたものである。
【００１４】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００１５】
また、図面番号も、発明の実施の形態において用いた図番を示し、本発明の技術的範囲を限定するものでない。
請求項１記載の発明は、次の点を特徴とする。
第１に、タイル壁(30)用スクリューグロメット(10)には、例えば図１〜２に示すように、次の構成を備える。
【００１６】
（１）挿入穴(50)
挿入穴(50)は、タッピングねじ(40)がねじ込まれ、タッピングねじ(40)の呼び径未満の内径を有するものである。
（２）スリット(60)
スリット(60)は、挿入穴(50)を挟んで相対向し、タッピングねじ(40)が挿入穴(50)にねじ込まれた際に拡径を許容するものである。
【００１７】
（３）一対の爪(70,70)
一対の爪(70,70)は、スリット(60)の長さ方向と直交する向きに互いに背向して突出し、スクリューグロメット(10)をタイル穴(31)に圧入した際に、当該タイル穴(31)中にスクリューグロメット(10)を仮に固定するとともに、圧入時に破損する可能性のあるものである。
【００１８】
（４）導入穴(51)
導入穴(51)は、挿入穴(50)の開口端面から内部に向かって徐々に縮径し、タッピングねじ(40)の呼び径を越える最大内径を有するものである。
第２に、導入穴(51)には、例えば図１、図３、図９に示すように、次の構成を備える。
【００１９】
（５）一対の突出壁(80,80)
一対の突出壁(80,80)は、当該導入穴(51)の周囲の鍔状節部(16)において、スリット(60)の長さ方向の両側にそれぞれ位置するとともに、当該肉厚が前記一対の爪(70,70)が位置する箇所の肉厚に比較して厚くなるように、導入穴(51)の中心に向かって相対向して突出させ、圧入後に残存する一対の爪(70,70)を介して鍔状節部(16)がタイル穴(31)の内壁により押された場合に、導入穴(51)が非円形に変形するのを防止するためのものである。
【００２０】
第３に、両突出壁(80,80)の対向間隔を、タッピングねじ(40)の呼び径の直径未満に設定している。
【００２１】
【発明の実施の形態】
（図面の説明）
図１〜１２は、本発明の実施の形態の一例を示すものである。
図１は、スクリューグロメットの平面図を示すものである。
図２は、スクリューグロメットの取付状態を示す斜視図を示すものである。
【００２２】
図３，４は、スクリューグロメットの側面図をそれぞれ示し、図３は一側面図、図４は他の側面図をそれぞれ示すのものである。
図５〜９は、図３の各断面図をそれぞれ示し、図５は図３のＶ−Ｖ線に沿う断面図、図６は図３のVI−VI線に沿う断面図、図７は図３のVII−VII線に沿う断面図、図８は図３のVIII−VIII線に沿う断面図、図９は図３のIX−IX線に沿う断面図をそれぞれ示すものである。
【００２３】
図１０は、図４のＸ−Ｘ線に沿う断面図をそれぞれ示すものである。
図１１はスクリューグロメットの使用状態を示す断面図を示すものである。
図１２は、図１に対応し、スクリューグロメットの使用状態を示す断面図を示すものである。
（スクリューグロメット）
図２中、10はスクリューグロメットを示し、このスクリューグロメット10は、例えばシャワー用のフック等の取付部品20を、例えばバスルーム等のタイル壁30のタイル穴31に取り付けるの使用される。
【００２４】
なお、取付部品20は、フックに限られない。また、タイル壁30も、バスルームに限らず、トイレ、キッチン、他の室内の内装、或いは外装として使用する場合でも良い。さらに、壁自身も、タイル壁30に限らず、コンクリートや建材等でも良い。また、壁穴も、タイル穴31に限らず、コンクリートや建材に開けた穴でも良い。
【００２５】
上記取付部品20には、図２，１１に示すように、取付穴21を有し、この取付穴21にタッピングねじ40を通してスクリューグロメット10にねじ込む。
前記タイル壁30は、図１１に示すように、躯体32に固定されている。
前記タイル穴31は、図１１に示すように、タイル壁30から躯体32にまで延びている。
【００２６】
前記スクリューグロメット10は、図３，４に示すように、複数の節に分かれ、先端節部11、第１節部12、第２節部13、第３節部14、第４節部15、鍔状節部16の６つに分かれている。
そして、スクリューグロメット10は、図１，９に示すように、挿入穴50、一対のスリット60,60、一対の爪70,70を備えている。
【００２７】
スクリューグロメット10は、適度な弾性と剛性とを有する、例えばＮＹＬＯＮ６６等の熱可塑性樹脂で一体に成形されている。
（先端節部11）
前記先端節部11は、図３，４に示すように、円錐台形形を成し、先端部に向かって徐々に細くなっている。そして、先端節部11の最大外径を、タイル穴31の内径にほぼ一致させている。
（第１〜第４節部12〜15）
前記第１〜第４節部12〜15は、図５〜８図に示すように、断面が六角柱形を成し、上下に隣接した節部12〜15の位相を３０度ずつずらしている。
【００２８】
そして、第１〜４節部12〜15には、図５〜８図に示すように、角部に矩形に突出した補強用のリブ57を、上下方向に重ならないように互い違いに複数個設けている。
（鍔状節部16）
前記鍔状節部16は、図１０に示すように、概略円筒形を成している。
（挿入穴60）
前記挿入穴50は、図７〜１０に示すように、断面円形を成し、その内径をタッピングねじ40の呼び径未満に設定している。
【００２９】
なお、上記「呼び径」は、ねじの寸法を代表する直径で、主としておねじの外径の基準寸法を意味している。
そして、挿入穴50は、図７〜１０に示すように、鍔状節部16の端面から第３節部14まで延びている。
また、挿入穴50には、図１，９に示すように、上方に向かって開いたすり鉢形の導入穴51が設けられている。
【００３０】
上記導入穴51の最大内径は、タッピングねじ40の呼び径を越える大きさに設定されている。
（スリット60）
前記一対のスリット60は、図３，図５〜１０に示すように、鍔状節部16から先端節部11に達し、上下に長い長円形を成し、挿入穴50を挟んで対向している。
（爪70）
前記爪70は、図１，３，４に示すように、鍔状節部16の外周より突出し、一対のスリット60が対向する方向と直交する方向に、挿入穴50を挟んで対向している。
【００３１】
具体的には、各爪70は、図３に示すように、側面から見ると、斜面を下方に向けた直角三角形方を成している。また、各爪70は、図１に示すように、平面から見ると、１／４扇形を成し、挿入穴60の中心を挟んで対称な形状に形成されている。
（突出壁80）
前記一対の突出壁80は、図１に示すように、一対のスリット60が対向する方向と同方向に相対向して突出している。そして、両突出壁80の対向間隔は、タッピングねじ40の呼び径の直径未満に設定されている。
【００３２】
このように、両突出壁80を設けることで、図９に示すように、タッピングねじ40の挿入時の遊び角度θ１を、突出壁80の無い、図１５に示す従来のスクリューグロメット110の遊び角度θ２に対して減少することができる。
（使用手順）
つぎに、上記した各構成を有するスクリューグロメット10の使用手順について、説明する。
【００３３】
まず、スクリューグロメット10を、その先端節部11よりタイル穴31に合わせて圧入する。
このとき、爪70がタイル穴31により、一般的に引きちぎられて取れることが多い。もちろん、このとき、爪70がタイル穴31に押されてたわみ、一部引きちぎられ、或いは引きちぎられずに残ることもある。
【００３４】
いずれにしても、爪70の作用により、スクリューグロメット10がタイル穴31に仮に固定される。
つぎに、取付部品20の取付穴21に通したタッピングねじ40を、図１１に示すように、スクリューグロメット10の導入穴51に合わせてねじ込む。
スクリューグロメット10は、図１１に示すように、導入穴51から挿入穴50に進み、更にねじ込むと、第２節部13、第１節部12、先端部11を貫通して突出する。
【００３５】
こうして、スクリューグロメット10をねじ込むと、挿入穴50の内径をタッピングねじ40の呼び径未満に設定していることから、一対のスリット60の溝幅が広がり、スクリューグロメット10の外径が拡径する。
このため、スクリューグロメット10は、タイル穴31中に固定され、取付部品20は、図１１に示すように、タッピングねじ40の頭部41とタイル壁30の間ではさみ持たれ、スクリューグロメット10を介してタイル壁30に固定される。
（実験）
次のような実験を行った。
【００３６】
例えば、図１，１２に示すように、導入穴51の内径ａ１を、４．６mmとし、両突出壁80の対向間隔ｂ１を４．０５mmとした場合、タイル穴31への挿入前後の導入穴90の内径ａ１，ｂ１の変化の実験結果を、下記の表３，４に示す。
【００３７】
【表３】
0003981442.tif 000004
【００３８】
【表４】
0003981442.tif 000005
【００３９】
上記表３，４から明らかな通り、爪70が取れた場合と、取れない場合で、導入穴51の内径の変化は見られなかった。
【００４０】
【発明の効果】
本発明は、以上のように構成されているので、以下に記載されるような効果を奏する。
すなわち、請求項１記載の発明によれば、スクリューグロメットの変形し易い方向に、一対の突出壁を設けることで、スクリューグロメットが非円形にたわむのを防止できる。
【００４１】
特に、スクリューグロメットの爪が取れない場合に有効である。
これにより、タッピングねじが、スクリューグロメットの挿入穴に対して斜めにねじ込まれるのを防止することができる。
【図面の簡単な説明】
【図１】  スクリューグロメットの平面図である。
【図２】  スクリューグロメットの取付状態を示す斜視図である。
【図３】  スクリューグロメットの一側面図をである。
【図４】  スクリューグロメットの他の側面図である。
【図５】  図３のＶ−Ｖ線に沿う断面図である。
【図６】  図３のVI−VI線に沿う断面図である。
【図７】  図３のVII−VII線に沿う断面図である。
【図８】  図３のVIII−VIII線に沿う断面図である。
【図９】  図３のIX−IX線に沿う断面図である。
【図１０】  図４のＸ−Ｘ線に沿う断面図である。
【図１１】  スクリューグロメットの使用状態を示す断面図を示すものである。
【図１２】  図１に対応し、スクリューグロメットの使用状態を示す断面図である。
【図１３】  従来のスクリューグロメットの取付状態を示す分解断面図である。
【図１４】  図１３に示すスクリューグロメットの平面図である。
【図１５】  図１３に示すスクリューグロメットの縦断面図である。
【図１６】  図１４に対応し、スクリューグロメットをタイル壁の壁穴に挿入した状態の断面図である。
【符号の説明】
10  スクリューグロメット        11  先端節部
12  第１節部                    13  第２節部
14  第３節部                    15  第４節部
16  鍔状節部                    17  リブ
20  取付部品                    21  取付穴
30  タイル壁                    31  タイル穴
32  躯体                        40  タッピングねじ
41  頭部                        50  挿入穴
51  導入穴                      60  スリット
70  爪                          80  突出壁
110  従来のスクリューグロメット 120  取付部品
121  取付穴                     130  タイル壁
131  タイル穴                   140  タッピングねじ
150  挿入穴                     151  導入穴
160  スリット                   170  爪
【図１】
0003981442.tif 000006
【図２】
0003981442.tif 000007
【図３】
0003981442.tif 000008
【図４】
0003981442.tif 000009
【図５】
0003981442.tif 000010
【図６】
0003981442.tif 000011
【図７】
0003981442.tif 000012
【図８】
0003981442.tif 000013
【図９】
0003981442.tif 000014
【図１０】
0003981442.tif 000015
【図１１】
0003981442.tif 000016
【図１２】
0003981442.tif 000017
【図１３】
0003981442.tif 000018
【図１４】
0003981442.tif 000019
【図１５】
0003981442.tif 000020
【図１６】
0003981442.tif 000021